(57)【要約】【課題】オプティカルハウジング周囲の温度環境変化に影響されにくい、走査結像光学系の集光レンズ固定構造を提供する。【解決手段】紫外線透過率５０％以上のガラス成形品である固着用部材１０３の上下両面に紫外線硬化型接着剤１０４，１１４を塗布し、この固着用部材をハウジング１０２の底面上に載置する。固着用部材上に集光レンズ１０１を載置するとともに、このレンズの長手方向一端部をボス１０５ｃに、短手方向一端部をボス１０５ａ，１０５ｂにそれぞれ当接させることでレンズの位置決めを行う。その後、レンズの上方から固着用部材に向けて紫外線を照射することにより、レンズを固着用部材に、固着用部材をハウジングに、それぞれ同時に接着固定する。レンズを、ハウジングとは別の部材である固着用部材を介してこのハウジングに固定することで、ハウジングの温度変化がレンズに伝達する際、固着用部材がこの温度変化を緩和する機能を果たす。【選択図】　　　　図２
2004074627.tif 000002
【特許請求の範囲】
【請求項１】
光源からの光束を光偏向器で偏向させ、オプティカルハウジングに取り付けられた走査結像光学系により光導電性感光体上に光スポットとして集光する書き込み装置を備えた走査型画像形成装置において、走査結像光学系を構成する集光レンズを固着用部材に接着剤または両面テープで固定し、該固着用部材をオプティカルハウジングに適宜の手段で取り付けたことを特徴とする画像形成装置。
【請求項２】
固着用部材は、熱伝導率がオプティカルハウジングの熱伝導率よりも低いことを特徴とする請求項１に記載の画像形成装置。
【請求項３】
集光レンズ、固着用部材の双方に位置決め部を設け、これら位置決め部同士の当接により集光レンズを固着用部材に対し位置決めして固定したことを特徴とする請求項１または２に記載の画像形成装置。
【請求項４】
固着用部材、オプティカルハウジングの双方に位置決め部を設け、これら位置決め部同士の当接により固着用部材をオプティカルハウジングに対し位置決めして取り付けたことを特徴とする請求項１または２に記載の画像形成装置。
【請求項５】
固着用部材を紫外線透過率５０％以上のガラス成形品またはプラスチック成形品とし、該固着用部材をオプティカルハウジングに紫外線硬化型接着剤で取り付けたことを特徴とする請求項１〜４のいずれかに記載の画像形成装置。
【請求項６】
集光レンズを固着用部材に、紫外線硬化型接着剤で固定したことを特徴とする請求項５に記載の画像形成装置。
【請求項７】
固着用部材の長手方向寸法を集光レンズの長手方向寸法の１／３以上とし、集光レンズの長手方向を固着用部材の長手方向と同一の向きにして集光レンズを固着用部材に固定したことを特徴とする請求項１〜６のいずれかに記載の画像形成装置。
【請求項８】
固着用部材の機械強度が、集光レンズの機械強度よりも高いことを特徴とする請求項１〜７のいずれかに記載の画像形成装置。
【請求項９】
固着用部材をオプティカルハウジングに、ネジで取り付けたことを特徴とする請求項１〜８のいずれかに記載の画像形成装置。
【請求項１０】
固着用部材として、スナップファスナーが一体成形されたプラスチック製のものを用いるとともに、該固着用部材をオプティカルハウジングに前記スナップファスナーで取り付けたことを特徴とする請求項１〜９のいずれかに記載の画像形成装置。
【発明の詳細な説明】
【０００１】
【発明の属する技術分野】
本発明は複写機、ファクシミリ、プリンタ、これらの複合機など、電子写真方式の画像形成装置に関し、より詳しくは、書き込み装置の走査結像光学系を構成する集光レンズをオプティカルハウジングに固定するレンズ固定構造に関するものである。
【０００２】
【従来の技術】
従来の画像形成装置としてデジタル式複写機を例にとり、その構成および作用について説明する。図８はこの複写機の全体構造を示す断面図、図９はこの複写機に配備されたスキャナ装置（画像読み取り装置）の断面図、図１０はこの複写機に設けられた書き込み装置（レーザービーム走査装置）の斜視図である。
【０００３】
図８に示す複写機は原稿読み取り装置（スキャナ装置）１１、書き込み装置（レーザービーム走査装置）７０Ａを有するプリンタ部１２および、自動原稿送り装置１３を備えている。自動原稿送り装置１３は、これにセットされた原稿を１枚ずつ搬送してコンタクトガラス１４上にセットし、複写終了後のコンタクトガラス１４上の原稿を排出する。
【０００４】
原稿読み取り装置１１は、図９にも示すように第１キャリッジＡおよび第２キャリッジＢを備えている。第１キャリッジＡには、照明ランプ１５および反射鏡１６からなる光源と、第１ミラー１７とが装備され、第２キャリッジＢには第２ミラー１８および第３ミラー１９が装備されている。
【０００５】
原稿読み取り時には、第１キャリッジＡが一定の速度で往動して第２キャリッジＢが第一キャリッジＡの１／２の速度で第１キャリッジＡに追従して往動することにより、コンタクトガラス１４上の原稿が光学的に走査される。この原稿は照明ランプ１５および反射鏡１６により照明され、その反射光像が第１ミラー１７、第２ミラー１８、第３ミラー１９、色フィルタ２０を介してレンズ２１によりＣＣＤセンサ２２上に結像される。ＣＣＤセンサ２２は、結像された原稿の反射光像を光電変換してアナログ画像信号を出力し、これにより原稿の読み取りが行われる。そして、画像の読み取り終了後、第１キャリッジＡと第２キャリッジＢはホームポジション位置に復動する。
【０００６】
ＣＣＤセンサ２２からのアナログ画像信号は、アナログ／デジタル変換器によりデジタル画像信号に変換され、画像処理板２３により種々の画像処理（２値化、多値化、階調処理、変倍処理、編集処理など）が施される。なお、ＣＣＤセンサとして、それぞれＲ（レッド）、Ｇ（グリーン）、Ｂ（ブルー）のフィルタを備えた３ラインのＣＣＤを用いることによりカラー原稿を読み取ることも可能となる。
【０００７】
プリンタ部１２において感光体ドラム（像担持体）２５は、複写動作時に図略の駆動部により回転駆動され、帯電装置２６により均一に帯電されてから、上記画像処理板２３で画像処理が施されたデジタル画像信号が、図略の半導体駆動板に送られ、上記デジタル画像信号による画像露光が書き込み装置７０Ａにより行われて感光体ドラム２５上に静電潜像が形成される。さらに、この感光体ドラム上の静電潜像が現像装置２８によりトナー像に現像される。
【０００８】
給紙装置３３〜３５のうち選択されたものから、図略の転写紙がレジストローラ３６へ給紙される。この転写紙は、このレジストローラ３６から感光体ドラム２５上の画像とタイミングを合わせ送り出され、感光体ドラム２５上に形成されたトナー像は、転写装置３０により転写紙上に転写される。この転写紙は、分離装置３１により感光体ドラム２５から分離されて搬送装置３７により搬送され、上記転写画像が定着装置３８で定着された後、トレイ３９上に排出される。感光体ドラム２５は、転写紙分離後にクリーニング装置３２によりクリーニングされて残留トナーが除去される。
【０００９】
書き込み装置７０Ａでは、図１０に示すように半導体レーザー装置４０内の半導体レーザーより発せられたレーザービームが半導体レーザー装置４０内のコリメートレンズにより平行な光束に変えられ、半導体レーザー装置４０に備えられたアパーチャを通過することで一定形状の光束に整形される。この光束はシリンドリカルレンズ４０ａにより副走査方向に圧縮されてポリゴンミラー４２上に入射する。なお、ポリゴンミラー４２は正確な多角形をしており、ポリゴンモータ４１（図１０）により一定の方向へ一定速度で回転駆動される。ポリゴンミラー４２の回転速度は感光体ドラム２５の回転速度と、書き込み装置７０Ａの書き込み密度と、ポリゴンミラー４２の面数とにより決定される。
【００１０】
シリンドリカルレンズ４０ａからポリゴンミラー４２に入射されたレーザービームは、ポリゴンミラーの反射面により偏向されてｆθレンズ４３に入射する。ｆθレンズ４３は、ポリゴンミラー４２からの角速度一定の走査光が感光体ドラム２５上で等速度走査されるように変換する。ｆθレンズ４３からのレーザービームは、反射鏡４５および防塵ガラス４６を介して感光体ドラム２５上に結像される。また、ｆθレンズ４３は面倒れ補正機能も有している。ｆθレンズ４３を通過したレーザービームは、画像領域外で同期検知ミラー４７により反射されて同期検知センサ４８に導かれる。そして、同期検知センサ４８の検知出力により主走査方向の頭出しの基準となる同期信号が得られる。
【００１１】
さらに、原稿読み取り装置１１の一端部下方部位に吸気ファン２４と、プリンタ部１２内の現像装置２８近傍位置にブロワ９０とが配備されている。外装カバーを介して吸気ファン２４で吸入された外気は、原稿読み取り装置１１内を画像処理板２３に向かって流れた後、この複写機外に排出される。これにより、原稿読み取り装置１１内の光学系（光学部品）が冷却される。また、外装カバーを介してブロワ９０で吸入された外気は、感光体ドラム２５まわりを冷却した後、ポリゴンモータ４１および、書き込み装置７０Ａ内の光学系を冷却する。
【００１２】
【発明が解決しようとする課題】
ところで、走査結像光学系を構成する集光レンズすなわち走査レンズ（以下、レンズと記載する場合がある）をオプティカルハウジングに固定するレンズ固定構造として、種々のものが提案・実施されている。また従来、レンズの画像領域内に相当する部分を使って、このレンズの位置決めや固定を行う場合において、レンズがオプティカルハウジング（以下、ハウジングと記載する場合がある）に直接接触するときには、このレンズをハウジングに接着層を介して取り付けている。
【００１３】
ハウジング内は通常、密閉状態に近い構造となっているが、画像形成装置の使用状況（画像形成装置の立ち上げ直後や連続プリント動作後、または待機状態にあるとき、あるいはハウジング内の冷却条件などが変化しているとき）により、ハウジングの温度環境は激しく変化している。周囲の温度変化に伴い、通常ハウジング内の温度も徐々に周囲温度に近づく。
【００１４】
ハウジング自体の温度は、これが直接周囲の環境にさらされている分、ハウジング内部の温度変化に比べて激しく変動する。このため、ハウジングの一部に接して取り付けられ、またはハウジングの一部に接着剤を介して取り付けられたハウジング内の光学素子はハウジングの温度変化の影響を強く受け、局部的に温度が変化する。プラスチック製の長尺状レンズであるｆθレンズがこの影響を受けた場合、レンズ内部に局部的な歪が、したがって局部的な光学特性の劣化が特に生じやすくなる。この結果、この劣化部分に相当する部位の像高の画像品質が低下し、副走査方向に連続する画像の不具合が生じる。この傾向は、集光レンズとしてモールド品（プラスチック成形品）を使用した場合に特に強く、またハウジングに比熱の低い材質を用いた場合に顕著となる。
【００１５】
最終的に画像形成装置の使用状態が安定してハウジングの周囲温度が安定し、ハウジング自体およびハウジング内部の温度も安定した条件下では、レンズ等に局部的な温度勾配が発生せず、その光学特性が安定して良好な画像が得られるようになる。言い換えると、画像形成装置の使用モードが変化し、ハウジング周囲の環境温度が急変するような状況では、前記した画像品質上の不具合が発生しやすくなる。
【００１６】
本発明は上記事情に鑑みなされたもので、その目的は、電子写真方式の画像形成装置において、オプティカルハウジング周囲の温度環境変化に影響されにくい、走査結像光学系の集光レンズ固定構造を提供し、もって高品位な画像を安定して形成することにある。
【００１７】
【課題を解決するための手段】
請求項１に係る発明は、光源からの光束を光偏向器で偏向させ、オプティカルハウジングに取り付けられた走査結像光学系により光導電性感光体上に光スポットとして集光する走査型画像形成装置において、たとえば図１、図２に示すように、走査結像光学系を構成する集光レンズ１０１を、オプティカルハウジング１０２とは別の部材である固着用部材１０３に接着剤または両面テープで固定し、この固着用部材１０３をオプティカルハウジング１０２に適宜の手段たとえば接着剤やネジで取り付けたことを特徴とする画像形成装置である。
【００１８】
請求項１の発明では、集光レンズ１０１を直接オプティカルハウジング１０２に固定せず、固着用部材１０３を介してオプティカルハウジング１０２に固定したため、ハウジング１０２の温度変化がレンズに伝達する際、固着用部材１０３がこの温度変化を緩和する機能を果たすので、ハウジング１０２の温度変化が集光レンズ１０１に伝わりにくくなる。なお、この集光レンズ固定構造を組み付けるに際しては、（１）集光レンズを接着剤で固着した固着用部材を用意しておき、この固着用部材をオプティカルハウジングに適宜手段で取り付ける方法、（２）上下両面に接着剤を塗布した固着用部材をハウジングの底面上に載置し、この固着用部材上にレンズを載置し、上記接着剤を同時に硬化させて接着固定する方法、（３）下面に接着剤を塗布した固着用部材をハウジングの底面上に載置し接着固定し、ついでこの固着用部材の上面に接着剤を塗布し、この上にレンズを載置して接着固定する方法などが採用できる。
【００１９】
請求項２に係る発明は、固着用部材の熱伝導率がオプティカルハウジングの熱伝導率よりも低いことを特徴とする請求項１に記載の画像形成装置である。本発明では、固着用部材１０３によるハウジングの温度変化緩和機能が向上する。
【００２０】
請求項３に係る発明はレンズ、固着用部材の双方に位置決め部を設け、これら位置決め部同士の当接により、レンズを固着用部材に対し位置決めして固定したことを特徴とする請求項１または２に記載の画像形成装置である。本発明では、レンズと固着用部材との相互位置決めが容易になる。
【００２１】
請求項４に係る発明は固着用部材、オプティカルハウジングの双方に位置決め部を設け、これら位置決め部同士の当接により、固着用部材をオプティカルハウジングに対し位置決めして取り付けたことを特徴とする請求項１または２に記載の画像形成装置である。本発明では固着用部材とオプティカルハウジングとの相互位置決めを簡便に行うことがができる。
【００２２】
請求項３，４の構成を兼ねた集光レンズ固定構造とすることにより、レンズと固着用部材との相互位置決めおよび、固着用部材とオプティカルハウジングとの相互位置決めを同時に、かつ簡便に行うことができる。これら請求項３，４を兼ねた構成としては、たとえば以下のものが挙げられる。
【００２３】
図３、図４に示すように、オプティカルハウジング１０２に、位置決め用突起（位置決めピン）１１０を設けるとともに第１の基準溝１０８を形成する。レンズ１０１では、下面側に長手方向の位置決めを行うための第１の突起１１１と短手方向の位置決めを行うための第２の突起１１２とを設ける。固着用部材１０３では、長手方向に沿う長穴１０７および、上面に第２の基準溝１０９を形成するとともに、下面に突起１０６を設ける。
【００２４】
そして、固着用部材上面の所定部位に紫外線硬化型接着剤を塗布し、この固着用部材上にレンズを載置するとともに、第１の突起１１１を長穴１０７の側面に、第２の突起１１２を第２の基準溝１０９の側面にそれぞれ当接させることにより、レンズを固着用部材１０３に対し位置決めする。ついで、このレンズの上方から固着用部材に向かって紫外線を照射することで、レンズを固着用部材に固着する。さらに、この固着用部材１０３の突起１０６を第１の基準溝１０８の側面に当接させ、長穴１０７の側面をオプティカルハウジング１０２の位置決め用突起１１０に当接させることにより、固着用部材をオプティカルハウジングに対して位置決めした状態とし、この固着用部材をネジによりオプティカルハウジングを取り付ける（下記第２の実施の形態を参照）。
【００２５】
請求項５に係る発明は、固着用部材１０３を紫外線透過率５０％以上のガラス成形品またはプラスチック成形品とし、該固着用部材１０３をオプティカルハウジングに、紫外線硬化型接着剤で取り付けたことを特徴とする請求項１〜４のいずれかに記載の画像形成装置である。本発明では、下面に紫外線硬化型接着剤を塗布した固着用部材をオプティカルハウジングに対し位置決めし、ついで固着用部材側からオプティカルハウジングに向かって紫外線を照射することで、固着用部材をオプティカルハウジングに接着固定することができる。
【００２６】
請求項６に係る発明は、レンズ１０１を固着用部材１０３に、紫外線硬化型接着剤１１７ａで取り付けたことを特徴とする請求項５に記載の画像形成装置である。換言すると本発明は、固着用部材１０３を紫外線透過率５０％以上のガラス成形品またはプラスチック成形品とし、レンズ１０１を固着用部材１０３に紫外線硬化型接着剤１１７ａで固定し、かつ固着用部材１０３をオプティカルハウジング１０２に紫外線硬化型接着剤１１７ｂで取り付けたことを特徴とする請求項１〜４のいずれかに記載の画像形成装置である。
【００２７】
本発明では、上下両面に紫外線硬化型接着剤を塗布した固着用部材１０３をオプティカルハウジング１０２上に所定位置に載置し、レンズ１０１を固着用部材１０３上に載置するとともに、このレンズをオプティカルハウジング１０２に対し位置決めし、レンズ側からオプティカルハウジングに向かって紫外線を照射することで、レンズ１０１と固着用部材１０３との接着および、固着用部材１０３とオプティカルハウジングとの接着を同時に行うことができる。
【００２８】
請求項７に係る発明は、固着用部材１０３の長手方向寸法を集光レンズ１０１の長手方向寸法の１／３以上とし、集光レンズの長手方向を固着用部材の長手方向と同一の向きにして集光レンズを固着用部材に固定したことを特徴とする請求項１〜６のいずれかに記載の画像形成装置である。固着用部材１０３の長手方向寸法を上記のように設定することで、この固着用部材にレンズの防振機能が生じるため、周辺部材が振動したときの光ビームの振動が抑えられ、良好な品質の画像をより安定して得ることができる。
【００２９】
請求項８に係る発明は、固着用部材１０３の機械強度がレンズ１０１の機械強度よりも高いことを特徴とする請求項１〜７のいずれかに記載の画像形成装置である。本発明では、周辺部材が振動した場合等においてレンズの振動等を抑えることができるため、良好な品質の画像をより安定して得ることができる。
【００３０】
請求項９に係る発明は、固着用部材１０３をオプティカルハウジング１０２にネジで取り付けたことを特徴とする請求項１〜８のいずれかに記載の画像形成装置である。本発明では、固着用部材をオプティカルハウジングに堅固、かつ着脱自在に固定することができる。
【００３１】
請求項１０に係る発明は固着用部材１０３として、スナップファスナーが一体成形されたプラスチック製のものを用いるとともに、該固着用部材をオプティカルハウジングに前記スナップファスナーを介して取り付けたことを特徴とする請求項１〜９のいずれかに記載の画像形成装置である。本発明では、固着用部材をオプティカルハウジングに着脱自在に簡便に固定することができるうえ、ネジなどの特別な固定部材を用意する必要がなくなり、部品点数が削減される。
【００３２】
【発明の実施の形態】
以下、本発明の実施の形態に係るレンズ固定構造を、その構成手順とともに図面を参照して説明する。
第１の実施の形態
図１は平面形状が蒲鉾型である長尺状集光レンズ（走査レンズ）の、オプティカルハウジングへの固定構造を示す平面図、図２はその断面図である。オプティカルハウジング１０２の表面（底面）のうち、集光レンズ１０１の画像領域Ｆから外れた部位に棒状のボス１０５ａ，１０５ｂおよび１０５ｃを突出配備する。ハウジング１０２表面のうち、上記画像領域Ｆの下部に対応する部位に固着用部材１０３を、接着剤１１４（たとえば紫外線硬化型接着剤）または両面テープで固定する。この場合、集光レンズ１０１の長手方向一端部をボス１０５ａに、短手方向の一側面である平面部をボス１０５ｂ，１０５ｃにそれぞれ付き当てることで集光レンズ１０１の位置決めを行う。上記ボス１０５ｃはレンズ１０１の長手方向の位置決め部材であり、上記ボス１０５ａ，１０５ｂはレンズ１０１の短手方向の位置決め部材である。
【００３３】
この集光レンズ１０１では、長手方向一側および短手方向の一側が固定されていないため、環境温度が上昇・降下しても、位置決め状態が維持されたままで、この集光レンズ１０１の熱膨張・熱収縮を吸収することができる。集光レンズ１０１および固着用部材１０３としては、たとえばアクリル樹脂やポリカーボネート樹脂の成形品が、ハウジング１０２としては、たとえばアルミニウムダイキャスト品がそれぞれ用いられる。
【００３４】
従来のレンズ固定構造では、レンズが直接ハウジングに固定されているため、外部環境の温度変化に伴うハウジングの温度変化が短時間に、伝導伝熱によってレンズの接着部位近傍に伝わり、レンズ内部に局部的な歪を起こす結果、レンズの特性が急変する不具合があった。これに対し、本実施の形態ではレンズ１０１が固着用部材１０３を介して固定され、この固着用部材がハウジングからレンズへの伝熱のバリヤーとして機能するため、ハウジング１０２が温度変化しても、レンズ１０１の局部的な温度変化が起こりにくくなる（伝熱の緩和）。この結果、従来の不具合すなわち、走査レンズの局部的温度変化に伴う内部歪に起因する光学特性の劣化および出力画像の劣化の問題を改善することができる。固着用部材１０３として熱伝導率がハウジング１０２より低い材質からなるものを用いることで、この改善効果が更に高まり、高品質の画像を安定して形成することができる。
【００３５】
第２の実施の形態
図３は平面形状が蒲鉾型である長尺状集光レンズをハウジングに固定する固定構造を示す平面図、図４はそのＡ−Ａ線断面図である。本実施の形態では、固着用部材１０３として、平面視が長方形で、長手方向寸法がレンズ１０１の短手方向の最大寸法（最大幅）より大きいものをレンズ１０１の上記最大幅部位に、かつレンズ１０１の長手方向に直交させて設ける。
【００３６】
レンズ１０１の下面側に、その長手方向の位置決めを行うための第１の突起１１１と短手方向の位置決めを行うための第２の突起１１２とを設ける。ハウジング１０２上面側に位置決め用突起（位置決めピン）１１０を設けるとともに、同じく上面側に第１の基準溝１０８を形成する。固着用部材１０３に、その長手方向に沿う貫通穴（長穴）１０７と、上面側にこの固着用部材に短手方向に沿って第２の基準溝１０９とを形成するとともに、下面側に突起１０６を設ける。
【００３７】
固着用部材１０３上面の所定部位に紫外線硬化型接着剤１０４を塗布し、レンズ１０１に設けた第１の突起１１１を固着用部材１０３の長穴１０７側面の上方部位に、第２の突起１１２を固着用部材１０３の第２の基準溝１０９にそれぞれ当接させることにより、レンズ１０１を固着用部材１０３に対し位置決めし、紫外線をレンズ１０１の上方から固着用部材１０３に向けて照射することで、レンズ１０１を固着用部材１０３に接着剤１０４で接着固定する。さらに、この固着用部材１０３の突起１０６をハウジング１０２の第１の基準溝１０８に挿入してその側面に当接させ、固着用部材１０３の長穴１０７側面の下方部位をハウジング１０２の位置決め用突起１１０に当接させることにより、固着用部材１０３をハウジング１０２に対して位置決めした状態とし、この固着用部材１０３をハウジング１０２にネジ１１３ａ，１１３ｂで固定する。上記第１の突起１１１はレンズ長手方向の位置決め部材、第２の突起１１２はレンズ短手方向の位置決め部材である。また、上記突起１０６は固着用部材長手方向の位置決め部材、上記位置決め用突起１１０は固着用部材短手方向の位置決め部材であり、突起１０６および１１２はレンズの長手方向に延びている。
【００３８】
本実施の形態では、従来技術における上記不具合をなくすことができるうえ、レンズ１０１・固着用部材１０３．ハウジング１０２間の相互位置決め作業を、簡便かつ高精度に行うことができるので、良好な光学特性を維持することが可能となる。固着用部材１０３として、熱伝導率がハウジング１０２より低いものを用いることで、ハウジングの温度変化がレンズに伝達する際、固着用部材がこの温度変化を緩和する機能が更に高まる。
【００３９】
また、従来構造ではレンズをハウジングに直接、接着剤で固定していたため、レンズの取外し・再組み付けが困難であったが、本実施の形態では、レンズを固着用部材１０３に接着固定するとともに、この固着用部材１０３をハウジング１０２にネジ止めしたので、固着用部材１０３付きレンズをハウジング１０２に対し簡便に着脱することが可能になる。このためレンズの交換性や、レンズおよびハウジングのリサイクル性が向上する。
【００４０】
第３の実施の形態
図５は平面形状が蒲鉾型である長尺状集光レンズをハウジングに固定する固定構造を示す断面図であって、図４に対応するものである。図４に示した第２の実施の形態では固着用部材１０３をハウジング１０２に、ネジ１１３ａ，１１３ｂで固定したのに対し、第３の本実施の形態では固着用部材１０３を、係止部すなわちスナップファスナー１１５ａ，１１５ｂが一体成形されたプラスチック製のものとし、この固着用部材をオプティカルハウジング１０２に、上記スナップファスナーでパッチン止めするようにした点に特徴がある。その他の構成は、第２の実施の形態と同様である。
【００４１】
具体的には、レンズ１０１の下面側に、該レンズの長手方向の位置決めを行うための第１の突起１１１と、該レンズの短手方向の位置決めを行うための第２の突起１１２とを設ける。ハウジング１０２の上面に位置決め用突起（位置決めピン）１１０を設けるとともに、第１の基準溝１０８を形成する。またハウジング１０２に、その上面から下面に貫通する貫通孔１１６ａ，１１６ｂを形成する。固着用部材１０３に、その上面から下面に貫通する長穴１０７を該固着用部材１０３の長手方向に沿って形成する。また、該固着用部材１０３の上面に第２の基準溝１０９を形成するとともに、下面側に突起１０６を設ける。さらに固着用部材１０３の短手方向両端部に、この固着用部材の下面よりも下方に延びるスナップファスナー１１５ａ，１１５ｂを設ける。
【００４２】
固着用部材１０３上面の所定部位に紫外線硬化型接着剤１０４を塗布する。レンズ１０１に形成した第１の突起１１１を長穴１０７側面に、第２の突起１１２を第２の基準溝１０９側面にそれぞれ当接させることにより、レンズ１０１を固着用部材１０３に対して位置決めし、この状態でレンズ１０１を固着用部材１０３に接着剤１０４で接着固定する。さらに、この固着用部材１０３の突起１０６を第１の基準溝１０８に挿入してその側面に当接させるとともに、固着用部材１０３の長穴１０７側面をハウジング１０２の位置決め用突起１１０に当接させることにより、固着用部材１０３をハウジング１０２に対して位置決めした状態とし、スナップファスナー１１５ａ，１１５ｂを貫通孔１１６ａ，１１６ｂに押し込むことで、固着用部材１０３をハウジング１０２にパッチン止めする。上記第１の突起１１１はレンズ長手方向の位置決め部材、第２の突起１１２はレンズ短手方向の位置決め部材である。また、上記突起１０６は固着用部材長手方向の位置決め部材、上記位置決め用突起１１０は固着用部材短手方向の位置決め部材であり、突起１０６および１１２はレンズの長手方向に延びている。
【００４３】
本実施の形態では、従来技術における上記不具合をなくすことができるうえ、レンズ１０１・固着用部材１０３・ハウジング１０２間の相互位置決め作業を、簡便かつ高精度に行うことができるので、良好な光学特性を維持することが可能となる。固着用部材１０３として、熱伝導率がハウジング１０２より低いものを用いることで、固着用部材１０３がハウジング１０２の温度変化を緩和する機能が更に高まる。
【００４４】
また、従来構造ではレンズをハウジングに直接、接着剤で固定していたため、レンズの取外し・再組み付けが困難であったが、本実施の形態では、レンズを固着用部材１０３に接着固定するとともに、この固着用部材１０３をハウジング１０２にパッチン止めする構成としたので、固着用部材１０３付きレンズをハウジング１０２に対し簡便に着脱することが可能になる。このためレンズの交換性や、レンズおよびハウジングのリサイクル性が向上するうえ、ネジ等を用いる必要がなく部品点数を削減することができる。
【００４５】
第４の実施の形態
図６は平面形状が蒲鉾型である長尺状集光レンズ（走査レンズ）の、オプティカルハウジングへの固定構造を示す平面図、図７はその断面図である。固着用部材１０３として、紫外線透過率５０％以上のガラス成形品またはプラスチック成形品を用いる。固着用部材１０３の上下両面に紫外線硬化型接着剤１１７ａ，１１７ｂを塗布し、これをハウジング１０２底面の所定部位に載置する。レンズ１０１を固着用部材１０３上に載置し、第１の実施の形態と同じ要領でボス１０５ａ〜１０５ｃにより位置決めする。
【００４６】
その後、レンズ１０１の上方から下方に向けて紫外線を照射して紫外線硬化型接着剤１１７ａ，１１７ｂを硬化させる。これにより、レンズ１０１と固着用部材１０３が同時にハウジング１０２に固定される。本実施の形態では、固着用部材１０３として紫外線透過率５０％以上のものを使用しているが、これは、レンズ１０１および接着剤１１７ａを透過した紫外線が高い割合で固着用部材１０３を透過するように構成することで、接着剤１１７ａ，１１７ｂを同時に硬化させるためである。
【００４７】
なお、図２に示した実施の形態において、固着用部材１０３をハウジング１０２に紫外線硬化型接着剤１１４で固定する場合にも、上記のように固着用部材１０３として紫外線透過率５０％以上のものを使用することが望ましい。具体的には、ガラス成形品である固着用部材の上下両面に紫外線硬化型接着剤１０４および１１４を塗布し、これをハウジング１０２の底面上に載置する。この固着用部材上に集光レンズ１０１を載置するとともに、このレンズの長手方向一端部をボス１０５ｃに、短手方向（幅方向）一端部をボス１０５ａ，１０５ｂにそれぞれ当接させることでレンズの位置決めを行う。その後、レンズの上方から固着用部材に向けて紫外線を照射することによりレンズを固着用部材に、固着用部材をハウジングに、それぞれ同時に接着固定する。
【００４８】
【発明の効果】
以上の説明で明らかなように、請求項１の発明では、レンズをハウジングとは別の部材である固着用部材を介してこのハウジングに固定したため、ハウジングの温度変化がレンズに伝達する際、固着用部材がこの温度変化を緩和する機能を果たすので、ハウジングの温度変化が集光レンズに伝わりにくくなり、ハウジング周囲の温度環境変化に影響されにくい、走査結像光学系の集光レンズ固定構造が提供される。したがって本発明によれば、画像形成装置の使用モードが変化し、ハウジング周囲の環境温度が急変するような状況にあっても、高品位な画像を安定して形成することができる。
【００４９】
請求項２の発明では、固着用部材の熱伝導率がオプティカルハウジングの熱伝導率より低いため、固着用部材によるハウジング温度変化の緩和機能が向上する。請求項３の発明によれば、レンズと固着用部材との相互位置決め精度を容易に高めることができる。請求項４の発明によれば、固着用部材とハウジングとの相互位置決め精度を容易に高めることができる。また、請求項３，４を兼ねた構成の集光レンズ固定構造とすることにより、レンズと固着用部材との相互位置決め精度および、固着用部材とオプティカルハウジングとの相互位置決め精度を容易に高めることができる。
【００５０】
請求項５の発明によれば、固着用部材ハウジングに対して位置決めし、ついでこの固着用部材側からハウジング側に紫外線を照射することで、固着用部材をオプティカルハウジングに簡便に接着固定することができる。
【００５１】
請求項６の発明では、レンズと固着用部材とハウジングとの相互位置決めを行った後、レンズ側からオプティカルハウジング側に紫外線を照射することで、レンズと固着用部材との接着および、固着用部材とオプティカルハウジングとの接着を同時に行うことができるため、集光レンズ固定構造を簡便・安価に提供することが可能になる。
【００５２】
請求項７の発明では、固着用部材の長手方向寸法を所定のとおり設定することで、この固着用部材にレンズの防振機能が生じるため、周辺部材が振動したときの光ビームの振動が抑えられ、良好な品質の画像をより安定して得ることができる。また、請求項８の発明によれば、周辺部材が振動した場合等においてレンズの振動等を抑えることができるため、良好な品質の画像をより安定して得ることができる。
【００５３】
請求項９に係る発明によれば、固着用部材をハウジングに着脱自在、かつ堅固に取り付けることができる。また、請求項１０の発明によれば、固着用部材をハウジングに簡便、かつ着脱自在に取り付けることができるうえ、ネジなどの特別な固定部材を用意する必要がなくなり、部品点数が削減される。
【図面の簡単な説明】
【図１】本発明の第１の実施の形態に係る、オプティカルハウジングへの集光レンズ固定構造を示す平面図である。
【図２】図１の断面図である。
【図３】本発明の第２の実施の形態に係る、オプティカルハウジングへの集光レンズ固定構造を示す平面図である。
【図４】図３のＡ−Ａ線断面図である。
【図５】本発明の第３の実施の形態に係る、オプティカルハウジングへの集光レンズ固定構造を示す断面図であって、図４に対応するものである。
【図６】本発明の第４の実施の形態に係る、オプティカルハウジングへの集光レンズ固定構造を示す平面図である。
【図７】図６の断面図である。
【図８】従来のデジタル複写機の全体構造を示す断面図である。
【図９】図８のデジタル複写機に設けられたスキャナ装置（画像読み取り装置）の断面図である。
【図１０】図８のデジタル複写機に設けられた書き込み装置（レーザービーム走査装置）の斜視図である。
【符号の説明】
１０１：集光レンズ（走査レンズ）
１０２：オプティカルハウジング
１０３：固着用部材
１０４：紫外線硬化型接着剤
１０５ａ：ボス
１０５ｂ：ボス
１０５ｃ：ボス
１０６：突起
１０７：長穴
１０８：第１の基準溝
１０９：第２の基準溝
１１０：位置決め用突起
１１１：第１の突起
１１２：第２の突起
１１３ａ：ネジ
１１３ｂ：ネジ
１１４：紫外線硬化型接着剤
１１５ａ：スナップファスナ（係止部）
１１５ｂ：スナップファスナ（係止部）
１１６ａ：貫通孔
１１６ｂ：貫通孔
１１７ａ：紫外線硬化型接着剤
１１７ｂ：紫外線硬化型接着剤
【図１】
2004074627.tif 000003
【図２】
2004074627.tif 000004
【図３】
2004074627.tif 000005
【図４】
2004074627.tif 000006
【図５】
2004074627.tif 000007
【図６】
2004074627.tif 000008
【図７】
2004074627.tif 000009
【図８】
2004074627.tif 000010
【図９】
2004074627.tif 000011
【図１０】
2004074627.tif 000012